(57)【要約】【課題】特に内蔵部品の放熱効果が優れ組立てが容易な多層配線基板によるパッケージ構造を得るのに好適な電子部品内蔵型配線基板及びその製造方法を提供する。【解決手段】電子部品内蔵型配線基板は、放熱基板１と、一方の面に電極層２ｂを有し他方の面が前記放熱基板１に導熱性接着層３を介して接続された電子部品チップ２と、絶縁基板４ａの一方の面に配線層４ｂを有し前記電子部品チップ２上に配置された配線基板４と、前記絶縁基板４ａを貫通して設けられ一端面が前記配線層４ｂに接続され他端面が前記電子部品チップ２の電極層２ｂに電気的に接続された貫通電極４ｄと、前記電子部品チップ２の側周を囲み前記放熱基板１及び前記配線基板４相互間に設けられた絶縁性封止層５とを備えたことを特徴とする。【選択図】図１
2008205124.tif 000002
【特許請求の範囲】
【請求項１】
放熱基板と、一方の面に電極層を有し他方の面が前記放熱基板に導熱性接着層を介して接続された電子部品チップと、絶縁基板の一方の面に配線層を有し前記電子部品チップ上に配置された配線基板と、前記絶縁基板を貫通して設けられ一端面が前記配線層に接続され他端面が前記電子部品チップの電極層に電気的に接続された貫通電極と、前記電子部品チップの側周を囲み前記放熱基板及び前記配線基板相互間に設けられた絶縁性封止層とを備えたことを特徴とする電子部品内蔵型配線基板。
【請求項２】
前記電子部品チップは、一方の面に電極層を有する半導体素子チップで構成され、前記貫通電極は前記電極層に電気的に接続されていることを特徴とする請求項１に記載の電子部品内蔵型配線基板。
【請求項３】
前記絶縁性封止層は前記電子部品チップを挿入可能とする開口部が形成されたスペーサを有することを特徴とする請求項１または請求項２に記載の電子部品内蔵型配線基板。
【請求項４】
前記配線基板は、各々が絶縁基板の一方の面に配線層を有する複数の配線基板を積層した多層配線基板構造とされ、前記複数の配線基板には、前記各絶縁基板を貫通し一端面が対応する前記各配線層にそれぞれ接続され、他端面が前記各絶縁基板の他方の面から露出する貫通電極が設けられ、前記電子部品チップ側の配線基板の貫通電極の前記他端面は前記電子部品チップの電極層に電気的に接続され、前記電子部品チップから離隔する他の配線基板の貫通電極の前記他端面は、隣接する配線基板の配線層に電気的に接続されていることを特徴とする請求項１〜請求項３のうちいずれか一つの請求項に記載の電子部品内蔵型配線基板。
【請求項５】
前記導熱性接着材層は前記貫通電極と同一の導電性ペースト材料からなることを特徴とする請求項１〜請求項４のうちいずれか一つの請求項に記載の電子部品内蔵型配線基板。
【請求項６】
絶縁基板の一方の面に配線層をパターンニング形成して配線基板を形成する工程と、
前記絶縁基板に、前記配線層の一部分に対応する貫通孔を形成する工程と、
前記貫通孔に充填され一端面が前記配線層に接続され他端面が前記絶縁基板の他方の面に露出された貫通電極を形成する工程と、
一方の面に電極層を有する電子部品チップを用意し、前記貫通電極の前記他端面を前記電極層に電気的に接続し、前記電子部品チップを前記絶縁基板の前記他方の面に接着して相互に一体化する工程と、
放熱基板の電子部品チップ搭載予定面に熱放散用の導熱性接着層を形成する工程と、
前記電子部品チップ及び前記導熱接着層相互を位置合わせして前記配線基板、電子部品チップ及び放熱基板を重ね合わせる工程と、
前記電子部品チップの側周を囲む絶縁性封止材料を前記放熱基板及び前記配線基板相互間に介在させて前記重ね合わせ方向に一括熱プレスを行う工程と、
を備えることを特徴とする電子部品内蔵型配線基板の製造方法。
【発明の詳細な説明】
【技術分野】
【０００１】
本発明は電子部品内蔵型配線基板及びその製造方法に関し、特に内蔵部品の放熱効果が向上し組立てが容易な多層配線基板によるパッケージ構造及びその製造方法に関する。
【背景技術】
【０００２】
プリント基板分野では、半導体ＩＣ／ＬＳＩ素子のようなウエハプロセスで製造された素子に信号伝達や給電を行うために、素子と外部回路または機器とを電気的に接続するためのパッケージ基板が使用されている。従来のパッケージ基板には、個片化（分割）されたＩＣチップを、再配線層が形成されたＩＣチップよりも大きな回路基板上に搭載し、ワイヤボンディング接続したものが用いられてきた。また、金属バンプ端子を有するベアチップＩＣを異方性導電接着材によって、再配線層が形成された回路基板に実装するパッケージ方式も採用されている。
【０００３】
しかしながら、近年の携帯電子機器の多機能化に伴い、半導体デバイスにも更なる小形化が要求され、半導体ＩＣ／ＬＳＩの高集積化要求にも増してパッケージの小形化に焦点が当てられてきている。
【０００４】
このような状況において、近年、究極的な小形パッケージとして、ビルトアップ法のみで構成されるウエハレベル・チップスケールパッケージ（ＷＬＣＳＰ）が開発されている。このＷＬＣＳＰは、シリコンウエハを土台として、ＩＣ上に直接的に配線をビルトアップ法で形成するもので、パッケージサイズがＩＣチップサイズと同等程度に最小化されるパッケージである。しかし、実装基板の端子ピッチのルールによってパッケージ上に配置できる端子数が制約されるために、ＷＬＣＳＰの適用は、ピン数の少ない素子に限定される。
【０００５】
ＷＬＣＳＰの前記制約を解決する技術として、例えば特許文献１に開示されているようなＥＷＬＰ（Ｅｍｂｅｄｄｅｄ  Ｗａｆｅｒ  Ｌｅｖｅｌ  Ｐａｃｋａｇｅ）が知られている。しかしながら、このようなＥＷＬＰ技術においても次のような問題がある。
【０００６】
即ち、前記ＥＷＬＰ技術によるパッケージ形成が、レジストマスク利用のメッキ等によるビルトアップ法によって行われるために、半導体素子チップの裏面（実装面の反対側）に放熱用のビア（導熱路部材）を配置できず、素子動作中の発生熱を効果的に放散させるパッケージ構造を得難い問題がある。また、その製造にあっては、工程数が多く長時間を要し製造コストが高く、ビルトアップによる多層化に当たって多数回の加熱プレス工程を要するために一部の絶縁基板樹脂層に多くの熱履歴が加わり樹脂劣化が生じ易いなどの問題がある。
【０００７】
なお、放熱効果を改善した従来技術としては、特許文献２〜４などがある。特許文献２及び特許文献３は、複数の電子部品をスタックするタイプの多層基板に関し、前者ではスタックされる枠体に放熱性を高めるための通気路を設けた技術が開示され、後者ではスタックされた複数の電子部品に対して一つの放熱用のメタルコア基板を設けた技術が開示されている。特許文献４では、ハイブリッドモジュールに関し、回路部品を収納する凹部を形成するように多数のグリーンシートを積層して得られた多層回路基板の前記凹部に回路部品が収納され、この回路部品が、放熱板を介して別体の親回路基板に接触される技術が開示されている。また、前記特許文献２〜４と本発明との差異を補足的に後述する。
【特許文献１】特開２００４―  ９５８３６号特許公開公報
【特許文献２】特開２００１―２１０９５４号特許公開公報
【特許文献３】特開２００３―  ３１９５５号特許公開公報
【特許文献４】特開平  １１―２２０２２６号特許公開公報
【発明の開示】
【発明が解決しようとする課題】
【０００８】
本発明は、前記従来の問題点を解決するものであり、特に内蔵部品の放熱効果が優れ組立てが容易な多層配線基板によるパッケージ構造を得るのに好適な電子部品内蔵型配線基板及びその製造方法を提供することを目的とする。
【課題を解決するための手段】
【０００９】
請求項１に記載の本発明の電子部品内蔵型配線基板は、放熱基板と、一方の面に電極層を有し他方の面が前記放熱基板に導熱性接着層を介して接続された電子部品チップと、絶縁基板の一方の面に配線層を有し前記電子部品チップ上に配置された配線基板と、前記絶縁基板を貫通して設けられ一端面が前記配線層に接続され他端面が前記電子部品チップの電極層に電気的に接続された貫通電極と、前記電子部品チップの側周を囲み前記放熱基板及び前記配線基板相互間に設けられた絶縁性封止層とを備えたことを特徴とする。
【００１０】
請求項２に記載の本発明は、請求項１に記載の電子部品内蔵型配線基板において、前記電子部品チップは、一方の面に電極層を有する半導体素子チップで構成され、前記貫通電極は前記電極層に電気的に接続されていることを特徴とする。
【００１１】
請求項３に記載の本発明は、請求項１または請求項２に記載の電子部品内蔵型配線基板において、前記絶縁性封止層は前記電子部品チップを挿入可能とする開口部が形成されたスペーサを有することを特徴とする。
【００１２】
請求項４に記載の本発明は、請求項１〜請求項３のうちいずれか一つの請求項に記載の電子部品内蔵型配線基板において、前記配線基板は、各々が絶縁基板の一方の面に配線層を有する複数の配線基板を積層した多層配線基板構造とされ、前記複数の配線基板には、前記各絶縁基板を貫通し一端面が対応する前記各配線層にそれぞれ接続され、他端面が前記各絶縁基板の他方の面から露出する貫通電極が設けられ、前記電子部品チップ側の配線基板の貫通電極の前記他端面は前記電子部品チップの電極層に電気的に接続され、前記電子部品チップから離隔する他の配線基板の貫通電極の前記他端面は、隣接する配線基板の配線層に電気的に接続されていることを特徴とする。
【００１３】
請求項５に記載の本発明は、請求項１〜請求項４のうちいずれか一つの請求項に記載の電子部品内蔵型配線基板において、前記導熱性接着材層は、前記貫通電極と同一の導電性ペースト材料からなることを特徴とする。
【００１４】
請求項６に記載の本発明の電子部品内蔵型配線基板の製造方法は、絶縁基板の一方の面に配線層をパターニング形成して配線基板を形成する工程と、前記絶縁基板に、前記配線層の一部分に対応する貫通孔を形成する工程と、前記貫通孔に充填され一端面が前記配線層に接続され他端面が前記絶縁基板の他方の面に露出された貫通電極を形成する工程と、一方の面に電極層を有する電子部品チップを用意し、前記貫通電極の前記他端面を前記電極層に電気的に接続し、前記電子部品チップを前記絶縁基板の前記他方の面に接着して相互に一体化する工程と、放熱基板の電子部品チップ搭載予定面に熱放散用の導熱性接着層を形成する工程と、前記電子部品チップ及び前記導熱接着層相互を位置合わせして前記配線基板、電子部品チップ及び放熱基板を重ね合わせる工程と、前記電子部品チップの側周を囲む絶縁性封止材料を前記放熱基板及び前記配線基板相互間に介在させて前記重ね合わせ方向に一括熱プレスを行う工程と、を備えることを特徴とする電子部品内蔵型配線基板の製造方法。
【発明の効果】
【００１５】
本発明の電子部品内蔵型配線基板の構造及び製造方法によれば、前記従来の問題点が解決され、特に内蔵部品の放熱効果に優れたパッケージ構造が組立て容易に得られるという効果がある。このような効果は、電子部品の多機能／多端子数化要求に対応するための多層配線基板によるパッケージ構造を得る場合に特に発揮できる。
【発明を実施するための最良の形態】
【００１６】
以下、本発明の電子部品内蔵型配線基板の一実施形態について、図１を参照して説明する。
【００１７】
例えば銅箔製の放熱基板１は電子部品内蔵型配線基板のパッケージの一方の面（下面）の最外層を構成して外表面が露出されている。前記放熱基板１の内表面（上面）の部品チップ搭載予定面である中央部には、例えば半導体ＩＣチップからなる電子部品チップ２の底面が導熱性接着層３を介して接着固定されている。前記放熱基板１は、電子部品チップ２の主構成物、例えばＳｉなどの半導体材料基板と熱膨張係数が近く放熱特性に優れた物質で構成されるとよいので、銅箔に限らず、例えばモリブデンやインバー合金を両側から銅で挟み込んだ金属板などの金属材料を使用しても、同様な熱特性を有する樹脂板などの絶縁材料を使用してもよい。
【００１８】
前記導熱性接着層３は、前記電子部品チップ２及び前記放熱基板１相互間の導熱路ビアを構成するものであり、材料としては電気的及び熱的伝導性に優れた例えば導電性ペースト（具体的成分は後述する）が用いられている。
【００１９】
前記ＩＣチップ２は、Ｓｉなどの半導体材料基板の表層内に形成された多数の機能素子領域、その上表面に被覆されたＳｉ酸化膜や窒化膜などの絶縁被膜、及びその絶縁被膜上に形成されたチップ内部配線層及びその一部を構成する多数の電極層２ｂを有する半導体基板２ａを母体として構成されている。前記ＩＣチップ２は、更に、これら電極層２ｂ表面を露出させた状態で、半導体基板２ａの上面に形成された絶縁保護層２ｃを有する。
【００２０】
前記電極層２ｂに接続されて前記絶縁保護層２ｃ上に配置された再配線層２Ｂは、例えば金メッキ或いは蒸着などにより形成され、前記ＩＣチップ２に対して積層／接続される配線基板などの他の部材の電極や端子等の接続部分に対応する所望の配線ピッチ、配線長、配線面積及びパターン形状をもってパターンニングされている。
【００２１】
従って、前記再配線層２Ｂは、前記電極層２ｂのパターンが確定している前記ＩＣチップ２をパッケージ等に実装するに当たって、配線ピッチなどに関して、他の部材の電極や端子配列に適応したパターン変更ができる。また、前記ＩＣチップ２に他の部材の電極や端子を押圧させて電気的に接続する場合に、前記絶縁保護層２ｃ上に這わされた前記再配線層２Ｂの部分において、前記他の部材の電極や端子を押圧接続させることができるので、その際の押圧力が前記絶縁保護層２ｃにより吸収され部品へのダメージが緩和される。
【００２２】
前記ＩＣチップ２の上方に対面配置された第１配線基板４は、例えばポリイミド樹脂フィルムからなる第１絶縁基板４ａおよびその一方の面（上面）にパターンニング形成された銅箔製の第１配線層４ｂを有する。前記第１絶縁基板４ａには、前記第１配線層４ｂと前記ＩＣチップ２の再配線層２Ｂとの間に位置する所望の部分に第１貫通孔４ｃ（図示では２箇所）が形成されている。
【００２３】
前記第１貫通孔４ｃの各々に充填して設けられた第１貫通電極４ｄは、その一端面（上面）が前記第１配線層４ｂの内面（下面）に接続され、その他端面（下面）が前記再配線層２Ｂの上面に接続されている。前記第１貫通電極４ｄは、いわゆる層間導電路を構成するものであり、ここでは、電気的及び熱的伝導性に優れた前記導熱性接着層３と同一の導電性ペーストが用いられている。
【００２４】
前記放熱基板１と第１配線基板４との間に設けられた絶縁性封止層５は、前記ＩＣチップ２を挿入可能とする開口部Ｈを有する樹脂フィルム製の絶縁性のスペーサ５ａ、前記スペーサ５ａの下方及び上方にそれぞれ設けられた絶縁性の接着材層５ｂ、５ｃで構成されている。そして前記絶縁性封止層５は、前記ＩＣチップ２の側周をも囲み、前記放熱板１と第１配線基板４とを相互固定して気密封止していてパッケージの一部を構成するものであり、前記ＩＣチップ２が直接的には前記接着材層５ｂ、５ｃに埋め込まれた状態にある。
【００２５】
前記スペーサ５ａは、前記接着材層５ｂ、５ｃの組立て時の流動性による不所望な変形を抑制し、前記放熱板１と第１配線基板４との平行性或いは平坦性や前記第１配線電子部品チップ２の位置精度を高めることができる。
【００２６】
前記第１配線基板４の上方に重ねて配置された第２配線基板６は、第１配線基板４と同様な材料が用いられ、ポリイミド樹脂フィルムからなる第２絶縁基板６ａおよびその一方の面（上面）にパターンニング形成された銅箔製の第２配線層６ｂを有する。前記第２絶縁基板６ａには、前記第２配線層６ｂと前記第１配線基板４の第１配線層４ｂとの間に位置する所望の部分に第２貫通孔６ｃ（図示では４箇所）が形成されている。
【００２７】
前記第２貫通孔６ｃの各々に充填して設けられた第２貫通電極６ｄは、その一端面（上面）が前記第２配線層６ｂの内面（下面）に接続され、その他端面（下面）が前記第１配線層４ｂの上面に接続されている。前記第１配線基板４上面及び第２配線基板６相互は、接着材層６ｅによって接着固定されている。
【００２８】
このように前記第１配線基板４と第２配線基板６とを積層し、更には、例えば前記電子部品チップ２の多機能／高機能化に応じて、希望する複数の配線基板を積層した多層配線基板構造によるパッケージを提供することによって、高機能化する電子機器への搭載対応が自在に行える。
【００２９】
また、前記第２配線層６ｂ上面（表面）は、前記第２貫通電極６ｄの各々に対応する部分を露出させた状態で、ソルダーレジストのような絶縁性の保護マスク７によって被覆されている。そして、前記第２配線層６ｂの各露出面に、ボール状のはんだバンプからなる外部端子８がそれぞれ形成されている。前記外部端子８は、前記ボールバンプに限らず、搭載する電子機器等の接続端子構造などに応じて、例えばビームリードタイプなど他の外部端子構造を採用することも可能である。なお、放熱板１、前記第１、第２配線基板４、６及びスペーサ５ａの平面外形は、相互にほぼ同一の形状および寸法とされている。
【００３０】
次に、本発明の前記一実施形態に係わる電子部品内蔵型配線基板の製造方法ついて、図２〜図４を参照して説明する。図２（ａ）〜（ｅ）は前記第１配線基板関連の製造方法を説明するための工程別断面図、図３（ａ）〜（ｄ）は前記電子部品チップ（ＩＣチップ）の製造方法を説明するための個片化工程別断面図、図４（ａ）〜（ｄ）は電子部品内蔵型配線基板の製造方法を説明するための組立て工程別断面図である。これら各図面（含む図５）相互における同一引用符号は同一または同様な構成部分（部材）を表しているので、ある図において説明済みの構成部分については、後の図に係わる説明においてその詳細説明を省略することがある。
【００３１】
そこで、前記第１配線基板４関連の製造方法を図２を参照して説明する。まず、図２（ａ）に示す工程では、ポリイミド樹脂フィルムからなるフレキシブルな第１絶縁基板４ａの一方の面（上面）に銅箔製の配線材料層４Ｂが設けられた片面銅張板（ＣＣＬ）が用意される。前記第１絶縁基板４ａ及び配線材料層４Ｂにはそれぞれ厚さ２５μｍ及び１２μｍのものを使用した。
【００３２】
図２（ｂ）に示す工程では、前記配線材料層４Ｂ表面にフォトリソグラフィにより所望の回路パターン対応のエッチングレジストパターン（エッチングマスク）を形成した後、前記配線材料層４Ｂに化学エッチングを施して、所望の回路パターンを有する第１配線層４ｂを形成することにより第１配線基板４が得られる。前記エッチングには、塩化第二鉄を主成分とするエッチャントを用いた。
【００３３】
図２（ｃ）に示す工程では、前記第１絶縁基板４ａの他方の面（第１配線層４ｂと反対側下面）に接着材層５ｃ及び樹脂フィルムＦが順次貼り合わされる。前記接着材層５ｃには素材厚さ２５μｍのエポキシ系熱硬化性樹脂フィルム接着材を使用し、前記樹脂フィルムＦには厚さ２５μｍのポリイミド樹脂フィルムを使用した。
【００３４】
前記接着材層５ｃの素材としては、前記エポキシ系熱硬化性樹脂に代えてアクリル系樹脂などの接着材或いは熱可塑性の接着材を使用することもできる。また、前記接着材層５ｃは、フィルム状素材に代えて例えばワニス状の樹脂接着剤を前記第１絶縁基板４ａ下表面に塗布して形成することもできる。前記樹脂フィルムＦは、ポリイミドに代えてＰＥＴやＰＥＮなどのプラスチックフイルムを使用してもよく、前記接着材層５ｃの表面にＵＶ照射によって接着や剥離が可能なフイルムを被着形成してもよい。
【００３５】
次に、図２（ｄ）に示す工程では、前記第１絶縁基板４ａ、接着材層５ｃ及び樹脂フィルムＦを下面側から貫通して複数の第１貫通孔４ｃ（図中では２箇所）が形成される。これら第１貫通孔４ｃは、前記第１絶縁基板４ａを例えばＹＡＧレ−ザで穿孔することによって直径１００μｍのビアホールとして形成される。このレーザ加工時に、第１配線層４ｂのうち各第１貫通孔４ｃに対応する中央の部分に直径３０μｍ程度の小孔ｈが形成される。前記第１貫通孔４ｃや小孔ｈは、炭酸レーザやエキシマレーザなどによるレーザ加工或いはドリル加工や化学的エッチングによって形成することもできる。
【００３６】
そして、図２（ｅ）に示す工程では、前記第１貫通孔４ｃに、スクリーン印刷法により導電性ペーストをそれぞれの前記貫通孔４ｃ及び小孔ｈの空間を埋め尽くすまで充填することによって複数の第１貫通電極４ｄが形成される。従って、前記第１貫通電極４ｄの一端面（小孔ｈ側）が前記第１配線層４ｂの内面（下面）及び前記小孔ｈ内壁に亘って比較的広面積をもって係合状態にて接続される。
【００３７】
その後、前記樹脂フィルムＦが剥離される。その結果、前記第１貫通電極４ｄの他端面（下面）の部分は、前記樹脂フィルムＦの厚さ寸法分の高さをもって前記接着材層５ｃの下面側に突出した状態で露出される。前記樹脂フィルムＦは、その厚さを種々選定することによって貫通電極の突出高さを調整することができる。以上の工程を経て前記第１配線基板４に係わる組立部材Ａが形成される。
【００３８】
ところで、前記第１貫通電極４ｄ用の導電ペーストは、ニッケル、銀及び銅の群から選択された少なくとも１種類の低電気抵抗の金属粒子と、錫、ビスマス、インジウム及び鉛の群から選択された少なくとも１種類の低融点金属粒子とを含み、エポキシ樹脂を主成分とするバインダ成分を混合したペーストで構成した。前記導電ペーストは熱伝導性にも優れているので、発生熱を外部へ熱伝導並びに放散させる効果を発揮できる。
【００３９】
次に、前記電子部品チップの製造方法を図３を参照して説明する。図３（ａ）に示す工程では、通常のＩＣ製造技術によって、Ｓｉ半導体ウエハ２Ａに、所望数のＩＣチップにそれぞれ対応する数のＩＣ素子領域Ｘ、Ｙ、Ｚが形成される。そして、各ＩＣ素子領域Ｘ、Ｙ、Ｚの表面には、チップ内部配線層（図解せず）及びその一部を構成する多数の電極層２ｂが形成されている。
【００４０】
図３（ｂ）に示す工程では、前記電極層２ｂを含む前記ウエハ２Ａの上表面全体に亘って例えば液状の感光性ポリイミド前駆体をスピンコートし、フォトリソグラフィーにより前記各電極層２ｂを露出させるためのコンタクトホールＣｈを開けた絶縁保護層２ｃが形成される。
【００４１】
前記絶縁保護層２ｃの形成に際しては、他の樹脂素材としてベンゾシクロブテン（ＢＣＢ）やポリベンゾオキサゾール（ＰＢＯ）などを用いてもよい。感光性樹脂は液状に限らずフィルム状の樹脂を用いて前記ウエハにラミネートしてもよい。また、感光性樹脂の被覆は、スピンコートによる塗布に限らず、カーテンコート、スクリーン印刷、スプレーコートなどのいずれかで行ってもよい。
【００４２】
図３（ｃ）に示す工程では、前記各コンタクトホールＣｈを通じて前記ＩＣ素子領域Ｘ、Ｙ、Ｚの各電極層２ｂに接続された再配線層２Ｂが、前記絶縁保護層２ｃ上にセミアディティブ法を用いて形成される。そして、ウエハプロセス段階において、プロービング検査を行い特性の良否判別を行う。図３（ｄ）に示すように前記ＩＣ素子領域Ｘ、Ｙ、Ｚ相互の境界に沿ってダイシングして分離することによって個片化した複数のＩＣチップ２を取り出す。
【００４３】
また、一般的にＩＣチップ２の母体となる半導体材料基板やチップ内部配線層がＳｉ酸化膜や窒化膜などの無機絶縁被膜で保護されているので、前記絶縁保護層２ｃとしては、前記無機絶縁被膜を利用して、その上に前記再配線層２Ｂを直接形成することも可能である。
【００４４】
次に、前記電子部品内蔵型配線基板の組立てに係わる製造方法について図４を参照して説明する。
【００４５】
まず、図４（ａ）に示す工程では、前述の図３（ｃ）に示す工程で選別された良品に相当するＩＣチップからなる電子部品チップ２が用意される。この良品チップ２は、前述の図２（ｅ）に示す工程で製作された第１配線基板４に係わる組立部材Ａに、ＩＣチップ用マウンタで位置合わせして、前記接着材層５ｃの材料及び第１貫通電極４ｄの導電性ペーストの硬化温度以下で加熱することによって仮留め接着される。具体的には前記第１再配線層２Ｂが前記第１貫通電極４ｄ及び前記接着材層５ｃの下面に仮留め接着される。
【００４６】
そして、図４（ｂ）に示す工程では、前記第２配線基板６に係わる組立部材Ｂが前記組立部材Ａ上に位置合わせして積み重ねられる。前記組立部材Ｂは既に図１にも示された第２絶縁基板６ａ、第２配線層６ｂ、第２貫通孔６ｃ、第２貫通電極６ｄ及び接着材層６ｅを有するものであり、各部材の形状やパターンなどについては前記組立部材Ａと異なる部分があるが、図２に示された前記組立部材Ａと同様な材料や工程を経て製作される。そして、複数の第２貫通電極６ｄの各下端面は、前記組立部材Ａの各第１配線層４ｂにそれぞれ接する関係に配置される。
【００４７】
前記組立部材Ａの下方には、支持基板としての役目を有する放熱基板１が重なり合う位置関係で配置される。前記放熱基板１は厚さ１００μｍの銅箔製のものであり、その上面には、ＩＣチップ２の下面（裏面）に対向する位置に、例えばメタルマスクを用いたスクリーン印刷により前述の導電性ペーストを印刷して、一例として複数の突起状の導熱路ビアとしての導熱性接着層３が予め形成されている。また、前記放熱基板１には、前述のモリブデンやインバー合金を両側から銅で挟み込んだ金属板などの金属材料等を使用することもできる。
【００４８】
前記前記組立部材Ａと前記放熱基板１との間にスペーサ５ａが配置されている。前記スペーサ５ａは、厚さ４０μｍの樹脂製フィルムに、前記ＩＣチップ２の側周壁外形よりもやや大きめの開口Ｈを形成したものが用いられ、前記ＩＣチップ２の側周を離隔して取り囲む関係に配置される。また、前記スペーサ５ａは、他の部材との関係から熱歪みを発生し難くするためには、前記第１、第２絶縁基板と同一材料とするのが好ましい。
【００４９】
しかし、前記熱歪みの低減などが得られる他の樹脂や金属を、スペーサ５ａ材料に使用することもできる。そして、予め前記スペーサ５ａの下面に貼り付けられている接着材層５ｂは、適宜その材料を選定できるが、前記接着材層５ｃ、６ｅと同じ材料とすることが好ましい。
【００５０】
次に、図４（ｃ）に示す工程では、図４（ｂ）に示すように配置された前記放熱基板１、スペーサ５ａ、組立部材Ａ、組立部材Ｂ及び電子部品チップ２等の各部材を相互に位置合わせして相互に近接させて重ね合わせられる。
【００５１】
図４（ｄ）に示す工程では、図４（ｃ）に示された重ね合わせ体が真空キュアプレス機に装着され、１ｋＰａ以下の減圧雰囲気中で加熱圧着することによって、重ね合わせ方向に上下両面から一括熱プレスされる。前記一括熱プレスの際に、前記接着材層５ｂ、５ｃを熱硬化すると同時に、第１、第２貫通電極４ｄ、６ｄ及び導熱性接着層３に使用された導電性ペーストが熱硬化される。
【００５２】
前記一括熱プレスによって、第１配線基板４の第１貫通電極４ｄの下端面部分は、電子部品チップ２の再配線層２Ｂ表面に押し潰すようにして強固に接続され、前記第１配線基板４及びスペーサ５ａが接着材層５ｃによって接着固定される。また、前記第２配線基板６の第２貫通電極６ｄの下端面部分は、第１配線基板４の第１配線層４ｂ表面に押し潰すようにして強固に接続され、前記第１、第２配線基板４、６相互が接着材層６ｅによって接着固定され、前記スペーサ５ａは接着材層６ｅによって放熱基板１表面に接着固定される。
【００５３】
前記一括プレスの結果、前記スペーサ５ａ及びその両面の接着材層５ｂ、５ｃが一体化されることによって、絶縁性封止層５が形成される。そして、プレス時に前記接着材層５ｂと５ｃが、前記放熱基板１、電子部品チップ２及び第１配線基板４相互間の空間／隙間を埋め尽くすように塑性流動するので、電子部品チップ２は、前記絶縁性封止層５に埋め込まれた状態になる。
【００５４】
言い換えると、前記絶縁性封止層５は、電子部品チップ収納用の凹部を予め格別に形成しておく必要がなく、流動変形により電子部品チップ２を包み込むことによって簡単にパッケージの主要な一部を構成することができる。
【００５５】
ところで、前記導熱性接着層３は、電子部品チップ２下面の全面に亘って接着された単一層形状であってもよい。また、前記導熱性接着層３を前述のように複数の突起状の導熱ビアとして構成する場合は、前記導熱性接着層３は、放熱基板１上に複数アイランドの分布パターンをもって形成される。前記導熱性接着層３の前記分布パターンは、導電性ペーストのスクリーン印刷により例えば碁盤目状、格子状パターンとしたり、前記個々のアイランド形状を円形状、矩形状など種々の形状に簡単に形成することができる。
【００５６】
前記図４（ｄ）に示された工程の後、図１に示すように、第２配線基板６の上表面に、ソルダーレジスト層７が形成される。前記レジスト層７は、液状の感光性樹脂をスクリーン印刷し、前記各第２貫通電極６ｄに対応する第２配線層６ｂの各一部表面を露出させるようなマスクパターンをもって露光し現像して形成される。その後、はんだペーストを第２配線基板６上表面にパターン印刷し、リフローさせることによって、ボール状のはんだバンプからなる複数の外部端子電極８が形成され、前記各第２配線層６ｂ及び第２貫通電極６ｄに接続される。
【００５７】
以上のようにして製作された本発明の前記一実施形態に係る電子部品内蔵型配線基板及び製造方法によれば、電子部品チップ２からの熱は導熱性接着層３及び放熱基板１を通じて外部に放熱されるために、電子部品チップ２の電気的動作を安定化させることができる。そのために、従来技術では内蔵することが不可能であった発熱量の大きい電子部品チップでも実装可能となり、電子部品チップの適用範囲を拡げることができる。
【００５８】
また、前記各貫通電極４ｄ、６ｄが導熱性接着層３と同一の前記導電性ペーストで構成されている場合は、前記各貫通電極４ｄ、６ｄから前記外部端子電極８側への熱放散も得られる。
【００５９】
更に、パッケージの主要な一部を構成する前記絶縁性封止層５はシンプルな構造で電子部品チップ２を封止することができ、電子部品チップ２を収納させるための特別なスペース形成加工をする必要がない。
【００６０】
前記各配線基板４、６のような各配線基板は、片面ＣＣＬのような片面金属箔張り配線基板材を用い、層間接続のための前記第１、第２貫通電極４ｄ、６ｄは導電ペーストの印刷充填で形成することができる。従って、前述した、従来のビルトアップ方式（特許文献１参照）に比べて、全ての工程において、メッキ工程を排除し、生産時間及び生産コストを大幅に低減できる。
【００６１】
また、一括熱プレス工程によって、放熱基板１、電子部品チップ２及び第１、第２配線基板が各接着材層５ｂ、５ｃ、６ｅにより相互に接着固定されてパッケージ基板積層構造が１回のプレスで得られるために、前記ビルトアップ方式に比較して、これら積層部材にかかる熱履歴並びに同部材の劣化を著しく低減できる。
【００６２】
更に、第１、第２配線基板４、６の製造工程、電子部品チップ２製造工程及び導熱性接着層３付きの放熱基板１の製造工程毎にそれぞれ不良品が発生しても、その都度不良品を排除することができ、歩留まり悪化の累積を避けることができる。従って、前記図４（ａ）〜（ｄ）の組立て工程を経て、各良品部材を用いた品質の良い電子部品内蔵型配線基板を無駄なく確実に製造することができる。
【００６３】
なお、一実施形態として前記電子部品チップ２に再配線層２Ｂ付の半導体素子チップを用いた例を示したが、半導体素子チップに設けられた電極層の配列と前記第１配線基板４の貫通電極の配列とを整合させておけば、前記貫通電極を前記電極層に直接接続することも可能であり、この場合は半導体素子チップは再配線層２Ｂが設けられていないベアチップであってもよい。
【００６４】
次に、本発明の他の実施形態に係る電子部品内蔵型配線基板について、図５を参照して説明する。図５（ａ）に示された実施形態の電子部品内蔵型配線基板は、前記一実施形態において形成された絶縁性封止層５中のスペーサ５ａを省略した例である。即ち、例えば図４に示されている第１絶縁基板４ａ下面に接着した接着材層５ｃの厚さが、図４（ｄ）の一括加熱プレス工程において、電子部品チップ２を充分に埋め込める程度の厚さである場合は、スペーサ５ａを省略し、絶縁性封止層５を前記厚めの接着材層５ｃのみで構成することができる。この例では、電子部品内蔵型配線基板の総厚を前記一実施形態の場合よりも薄くできる。
【００６５】
図５（ｂ）に示された実施形態の電子部品内蔵型配線基板は、前記一実施形態において使用されたスペーサ５ａ及び第２配線基板６を共に省略した例である。即ち、前記電子部品（ＩＣ）チップ２が機能数が少なく、外部端子電極８の数を少なくできる場合などにおいては、前述の第１配線基板４のみの使用で充分である。この場合、前記第１配線層４ｂの平面パターン周縁を電子部品チップ２の外側方へあまり拡げる必要もないので、放熱基板１や第１配線基板４の外形寸法（面積）を前記一実施形態の場合に比して小さくすることができ、前記スペーサ５ａの省略も可能である。
【００６６】
図５（ｃ）に示された実施形態の電子部品内蔵型配線基板は、前記一実施形態において使用されたＩＣチップからなる電子部品チップ２の代わりに、コンデンサや抵抗などの他の機能素子からなる電子部品チップ２１を用いた例である。前記電子部品チップ２１は機能素子部分２１ａの両端に設けられた電極層２１ｂを有し、前記各電極層２１ｂは各第１貫通電極４ｄに接続されている。
【００６７】
本発明においては、前述のように種々の電子部品チップを使用することができると共に、このような電子部品チップは、ベアチップ形態であってもパッケージ付チップ形態であっても本発明の目的を達成することができる。
【００６８】
なお、前記配線基板は、電子部品チップの機能数に応じて１層或いは２層以上の多層積層体とすることができ、また、前記配線基板に設けられた配線層は電子部品チップに対する再配線層と称することもできる。
【００６９】
次に、本発明に係る前記電子部品内蔵型配線基板及び製造方法と前記特許文献２〜４との差異について補足的に説明する。これら特許文献によれば、電子部品収納用のパッケージ空洞部を形成するためには、特許文献２の技術では枠体６を使用し、特許文献３の技術ではダム形成材３０を使用し、特許文献４の技術ではその図４、図５に示されているように開口部有する複数のグリーンシートを開口部の無い複数のグリーンシートを重ね合わせて凹部１４を設けることを開示している。即ち、前記パッケージ空洞部を確立するためのの格別な部品加工を必要としている。これに対して、本発明に係る前記電子部品内蔵型配線基板では、絶縁性封止層５が接着材層を含んで構成することができ、一括熱プレスにより、電子部品を絶縁性封止層５の接着材層に埋め込ませるだけの構造でパッケージを構成できるために、その構造がシンプルでありパッケージ形成工程が著しく簡素化されるという利点がある。
【図面の簡単な説明】
【００７０】
【図１】本発明の一実施形態に係る電子部品内蔵型配線基板を示す断面図である。
【図２】本発明の一実施形態に係る第１配線基板関連の製造方法を説明するための図であり、（ａ）〜（ｅ）はその工程別断面図である。、
【図３】本発明の一実施形態に係る電子部品チップ（ＩＣチップ）の製造方法を説明するための図であり、（ａ）〜（ｄ）はその個片化工程別断面図である。
【図４】本発明の一実施形態に係る電子部品内蔵型配線基板の製造方法を説明するための図であり、（ａ）〜（ｄ）はその組立て工程別断面図である。
【図５】本発明の他の実施形態に係る電子部品内蔵型配線基板に関する（ａ）〜（ｃ）の３種類の例を示す断面図である。
【符号の説明】
【００７１】
１    放熱基板
２、２１    電子部品チップ
２ａ    半導体基板
２ｂ    電極層
２ｃ    絶縁保護層
２Ｂ    再配線層
３    導熱接着層
４、６    第１配線基板、第２配線基板
４ａ、６ａ    第１絶縁基板、第２絶縁基板
４ｂ、６ｂ    第１配線層、第２配線層
４ｃ、６ｃ    第１貫通孔、第２貫通孔
４ｄ、６ｄ    第１貫通電極、第２貫通電極
５    絶縁性封止層
５ａ    スペーサ
５ｂ、５ｃ、６ｅ    接着層
７    保護マスク
８    外部端子
ｈ    小孔
Ｈ    スペーサ開口部
Ｘ、Ｙ、Ｚ    ＩＣ素子領域
【図１】
2008205124.tif 000003
【図２】
2008205124.tif 000004
【図３】
2008205124.tif 000005
【図４】
2008205124.tif 000006
【図５】
2008205124.tif 000007